(57)【特許請求の範囲】
【請求項１】
釣竿のリールシートと逆側の周面に設けられ、人差し指をかけるためのトリガーハンドルであって、
ハンドル本体と、
前記釣竿の竿体外周面に設けられ、前記ハンドル本体を回転不能かつ前記釣竿の軸方向に移動自在に支持する支持部材と、
前記ハンドル本体を前記軸方向に移動させる調整部材と、
を備えた釣竿用トリガーハンドル。
【請求項２】
前記調整部材は、
前記ハンドル本体を貫通して前記軸方向に沿って配置され、前記竿体に回転自在に支持されたネジ部材と、
前記ハンドル本体の貫通部に回転かつ軸方向移動不能に設けられ前記ネジ部材に螺合するナット部材と、
を有する、
請求項１に記載の釣竿用トリガーハンドル。
【請求項３】
請求項１または２に記載のトリガーハンドルを備えた釣竿。
【発明の詳細な説明】
【０００１】
【発明の属する技術分野】
本発明は、釣竿のリールシートと逆側の周面に設けられ、ユーザが人差し指をかけるトリガーハンドルとこれを設けた釣竿に関する。
【０００２】
【従来の技術】
従来の釣竿は、竿体と、竿体の竿元側端部に設けられたグリップと、グリップの穂先側の竿体周面に設けられたリールシートと、リールシートと逆側の竿体周面に設けられたトリガーハンドルと、リールシートに固定された両軸受リールとを有している。ユーザは片手でグリップを握ると共に人差し指をトリガーハンドルに引っかけて竿体を保持し、他方の手でリールを操作する。
【０００３】
【発明が解決しようとする課題】
従来の釣竿ではトリガーハンドルが竿体に固定されている。このため、ユーザがグリップを握ってトリガーハンドルに指をかけた際、ユーザの手の大きさにぴったり適合せずキャスティング，リールによるラインの巻取り等の釣竿の操作を円滑に行い難い場合があった。
【０００４】
また、釣りをする場合、釣りを行う環境に合わせてリール，ライン，ジグ（仕掛け）等（以下、これらを総称して「タックル」という）を変更する必要が生じる場合もある。これらタックルを変更した場合、釣竿の操作性を向上させるためにはトリガーハンドルの位置を変更する必要が生じる。
【０００５】
本発明の解決しようとする課題は、ユーザの手の大きさやタックルの変更に応じて位置を変更することができるトリガーハンドルを提供することにある。
【０００６】
本発明の別の課題は、トリガーハンドルの位置を自在に変更できる釣竿を提供することにある。
【０００７】
【課題を解決するための手段】
発明１に係るトリガーハンドルは、釣竿のリールシートと逆側の周面に設けられ、人差し指をかけるためのトリガーハンドルであって、ハンドル本体と、釣竿の竿体外周面に設けられ、ハンドル本体を回転不能かつ前記釣竿の軸方向に移動自在に支持する支持部材と、ハンドル本体を軸方向に移動させる調整部材とを備えている。
【０００８】
この場合には、竿体に設けられている支持部材によってハンドル本体は回転不能かつ竿体の軸方向に移動自在になっている。そして、調整部材により、ハンドル本体を竿体の軸方向に自由に移動させることができる。この結果、ハンドル本体は竿体上の任意の位置にセットでき、ユーザの手の大きさやタックルに合わせた位置に調整できる。
【０００９】
発明２に係るトリガーハンドルは、発明１の釣竿であって、調整部材は、ハンドル本体を貫通して前記軸方向に沿って配置され、竿体に回転自在に支持されたネジ部材と、ハンドル本体の貫通部に回転かつ軸方向移動不能に設けられネジ部材に螺合するナット部材とを有している。
【００１０】
この場合には、ネジ部材を回転させると、ネジ部材に蝶合したナット部がネジ部材上を移動する。ネジ部材は、ハンドル本体に回転かつ移動不能に設けられており、ネジ部材の移動と共にハンドル本体もネジ部材に沿って移動する。この結果、ハンドル本体は竿体上を軸方向に移動して任意の位置で固定され得ることになり、ユーザの手の大きさやタックルに合わせた位置に容易に調整できる。さらに、ハンドル本体部を貫通したネジ部材がハンドル本体を支持するので、強い力が加えられるハンドル本体部を十分に支持でき、ハンドル本体部が不安定に振動するのを抑える。
【００１１】
発明３に係る釣竿は、発明１または発明２のトリガーハンドルを備えている。
【００１２】
【実施の形態】
［第１実施形態］
以下、本発明の第１実施形態について図面を参照しつつ説明する。
【００１３】
図１に示すように、本発明の第１実施形態を採用した釣竿１は、竿体１１と、竿体１１の竿元側端部に配置された竿元グリップ１２と、竿元グリップ１２の穂先側に配置された前グリップ１３と、竿元グリップ１２と前グリップ１３との間に設けられリール１４を装着するリールシート１５と、リール１４と逆側のリールシート１５の周面に設けられたトリガーハンドル１６とを有している。
【００１４】
竿体１１は、例えば強化繊維に樹脂を含浸させたシート状のプリプレグをマンドレルに巻回して形成された筒状のものであり、先端が細いテーパ状である。そして、竿体１１の表面は商品イメージにあわせて塗装されている。
【００１５】
竿元グリップ１２は、竿体１１の竿元に嵌め込まれ接着剤等で接着された蓋付き円筒形部材である。このグリップ１２は、合成樹脂を押し出し成形や射出成形することで得られる弾性体である。この弾性体としては、ウレタンゴム等のゴム系弾性体やスチレンブロック共重合体等の弾性体を用いることができる。また前グリップ１３は、竿先がやや小径の先細りテーパ状円筒部材であり、竿元グリップ１２と同様に、合成樹脂を押し出し成形や射出成形することで得られる弾性体である。
【００１６】
リールシート１５は、図２に示すように、変形筒状の大径部２０と、大径部２０の穂先側先端から突出する筒状の小径部２１と、小径部２１に嵌合する移動シ−ト部１７とを有している。
【００１７】
大径部２０の竿元側には、リール１４の取付脚（図示せず）を係止するための第１係止部２２と、取付脚を載置するための平坦な第１載置部２３とが設けられている。この第１係止部２２は、大径部２０の竿元側から第１載置部２３の一部を覆うように形成されている。また、大径部２０の穂先側先端には取付脚を載置するための平坦な第２載置部２４が形成されており、第２載置部２４の両側には、取付脚の幅方向の移動を規制する突起部２５が形成されている。
【００１８】
一方、小径部２１は、外周面の一部に第２載置部２４に連なるように全長にわたって切り欠かれた平坦な第３載置部２６と、穂先側先端部に形成された雄ねじ部２７とを有している。また、小径部２１の全長にわたり外周部の対向する２箇所には、移動シート部１７を回転不能に係止するための係止溝２８が形成されている。
【００１９】
移動シート部１７は、内径が小径部２１の外径よりわずかに大きい寸法のほぼ円柱形の部材であり、小径部２１の外側を移動可能になっている。移動シート部１７は、第１係止部２２に対向して配置され取付脚の前側を係止するための第２係止部２９を竿元側端部に有している。第２係止部２９は、移動シート部１７が小径部２１に装着された場合、第３載置部２６のほぼ全域を覆いかつその間に取付脚の穂先側端部が挿入できる空間ができるように形成されている。そしてリール１４を装着する場合は、その取付脚を第１ないし第３載置部に載置し、内周に雌ネジが形成された前グリップ１３を雄ネジ部２７にねじ込みながら移動シート部１７を竿元側に移動させる。これにより、第１係止部２０と第２係止部２９とによって取付脚が挟み込まれて固定される。
【００２０】
トリガーハンドル１６は、図３及び図４に示すように、リール１４と逆側のリールシート１５の外周面に設けられたレール部材３２と、レール部材３２に支持されたハンドル本体３１と、ハンドル本体３１を貫通してレール部材３２と共に軸方向に沿って配置されたネジ部材３３とを有している。
【００２１】
ハンドル本体３１は、ＡＢＳ樹脂等の合成樹脂製の変形直方体型部材であって、底部がやや穂先側に突出し穂先側側面がくびれた形状である。そして、ハンドル本体３１は、頭部に先端がやや膨らんだ柱状の突出部３１ａが設けられ、中央よりやや頭部よりには軸方向に貫通するネジ孔部３１ｂが形成されている。ネジ孔部３１ｂにはネジ部材３３に蝶合可能な雄ネジが形成されている。
【００２２】
レール部材３２は、図４に示すように、内部にレール溝３２ａを有している。このレール溝３２ａ内にハンドル本体３１の突出部３１ａが移動自在に係止している。また、図３に示すように、レール部材３２の穂先側端部及び竿元側端部には、それぞれ柱状部材３４がリールシート１５と一体成形されており、柱状部材３４の端部にはそれぞれ軸方向に貫通した孔３４ａが設けられている。
【００２３】
ネジ部材３３は、図３に示すように、スチール，ステンレス等の金属からなる部材であって、竿元側端部に設けられた調節部４０と、ネジ山が設けられた雄ネジ部４１とを有している。そして、雄ネジ部４１が柱状部材３４の孔３４ａを貫通し、ハンドル本体３１のナット部３５と蝶合している。
【００２４】
このように構成された釣竿１では、ネジ部材３３の調整部４０を回転させて雄ネジ部４１を回転させると、雄ネジ部４１の回転に応じてハンドル本体３１がレール部材３２に沿って移動する。
【００２５】
一方、ネジ部材３３の調整部４０を回転させなければ、ハンドル本体３１は雄ネジ部４１に蝶合しており固定されている。
【００２６】
以上のように、本実施の形態を採用した釣竿１では、ネジ部材３３を設けているので、ハンドル本体３１を軸方向の任意の位置に移動させることができる。この結果、ユーザは手の大きさやタックルの変更に応じて人差し指を引っかけるハンドル本体３１の位置を調整することができ、キャスティング性能等の釣竿の操作性が向上する。
【００２７】
［第２実施形態］
以下、本発明の第２実施形態について図面を参照しつつ説明する。
【００２８】
本発明の第２実施形態を採用した釣竿２に設けられたトリガーハンドル５０は、図５及び図６に示すように、リールシート１５の載置部と逆側の外周面に軸方向に間隔を隔てて設けられた複数の取付孔５２（本体装着部）と、取付孔５２に支持されたハンドル本体５１とを有している。
【００２９】
ハンドル本体５１は、第１実施形態と同様に、ＡＢＳ樹脂等の合成樹脂製の変形直方体型部材であって、底部がやや穂先側に突出し穂先側側面がくびれた形状である。そして、ハンドル本体５１の頭部には、取付孔５２への嵌合用に形成された柱状の突出部５１ａが設けられている。
【００３０】
なお、その他の構造は第１実施形態と同様であり、説明を省略する。
【００３１】
このように構成された釣竿２では、ユーザの手の大きさやタックルの変更に応じて、複数設けられている取付孔５２のうち任意の取付孔５２にハンドル本体５１の突出部５１ａを嵌合して固定する。
【００３２】
以上のように、本発明の第２実施形態を採用した釣竿２によれば、ハンドル本体５１を任意の取付孔５２に嵌合して固定でき、人差し指を引っかけるハンドル本体５１の位置を調整できるので、ユーザは手の大きさやタックルの変更に応じて人差し指を引っかけるハンドル本体５１の位置を調整することができ、キャスティング性能が向上する。
【００３３】
［他の実施形態］
（ａ）取付孔は任意の数を任意の箇所に設けることもできる。
【００３４】
（ｂ）取付孔に雌ネジ部を形成すると共に、ハンドル本体の突出部に雄ネジ部を形成し、これらを蝶合することによってハンドル本体を固定してもよい。
【００３５】
【発明の効果】
本発明に係る釣竿では、支持部材がハンドル本体を軸方向に移動自在に支持し、調整部材によってハンドル本体の位置を調整することができるので、ユーザの手の大きさやタックルの変更に応じてトリガーハンドルの位置を変更することができる。この結果、釣竿の操作性が向上する。
【図面の簡単な説明】
【図１】  本発明の第１実施形態を採用した釣竿のリールシート，トリガーハンドルの斜視図。
【図２】  図１のリールシート部の分解斜視図。
【図３】  図１のトリガーハンドルの拡大図。
【図４】  図３のIV−IV断面図。
【図５】  本発明の第２実施形態を採用した釣竿のリールシ−ト，トリガーハンドルの拡大図。
【図６】  図５VI−VI断面図。
【符号の説明】
１１ 竿体
１２ 竿元グリップ
１３ 前グリップ
１５ リールシート
１６ トリガーハンドル
３１，５１ ハンドル本体
３２ レール部
３３ ネジ部
５２ 取付孔
【図１】
0003778533.tif 000002
【図２】
0003778533.tif 000003
【図３】
0003778533.tif 000004
【図４】
0003778533.tif 000005
【図５】
0003778533.tif 000006
【図６】
0003778533.tif 000007